(57)【要約】  衣類は、信号表示装置を含む。信号表示装置は、使用者に、身体流体が衣類内に存在することを示すように形成することができる。衣類は、内側表面と外側表面とを有する外カバーを含むシャーシを含むことができる。シャーシは、前領域と後領域との間に位置する股部領域を含むことができる。衣類は、少なくとも１つの第一端子及び少なくとも１つの第二端子を含む信号表示装置を含むことができる。【選択図】図７、図７Ａ
2009519752.tif 000002
【特許請求の範囲】
【請求項１】
内側表面と外側表面とを有する外カバーを備えるとともに、前領域と後領域との間に位置する股部領域を含み、前記前領域と前記後領域が、合わさって腰部領域を形成するシャーシと、
前記シャーシ内に収められ、少なくとも前記腰部領域に位置して、回路の一部を形成する第一及び第二導電性要素と、
少なくとも１つの第一端子及び少なくとも１つの第二端子を含み、該第一端子及び第二端子が前記第一導電性要素と第二導電性要素に作動的に接続するようにされた信号表示装置と、
から成り、
前記第一及び第二端子は、前記外カバー内の少なくとも１つのオリフィスを通して、前記第一及び第二導電性要素に作動的に接続することを特徴とする衣類。
【請求項２】
前記第一端子及び前記第二端子は、単一のオリフィスを通して、前記第一及び第二導電性要素に接続することを特徴とする請求項１に記載の衣類。
【請求項３】
前記第一端子は、第一オリフィスを通して、前記第一又は第二導電性要素に接続し、前記第二端子は、第二オリフィスを通して、前記第一又は第二導電性要素に接続することを特徴とする請求項１に記載の衣類。
【請求項４】
前記オリフィスは、弾性のオリフィス周辺部により定められることを特徴とする請求項１に記載の衣類。
【請求項５】
前記第一導電性要素に電気接続する第一導電性パッド部材と、前記第二導電性要素に電気接続する第二導電性パッド部材とを更に含み、前記導電性パッド部材の各々は、前記導電性要素を前記端子に電気接続するように形成されたことを特徴とする請求項１に記載の衣類。
【請求項６】
前記外カバーの前記内側表面の近傍に位置する吸収性構造体を更に含むことを特徴とする請求項１に記載の衣類。
【請求項７】
前記信号表示装置は、前記回路が完成した時、可聴信号、可視信号、又は振動を発生することを特徴とする請求項１に記載の衣類。
【請求項８】
前記信号表示装置は、前記第一及び第二導電性要素に電気接続する前記第一端子及び前記第二端子を含む送信機と受信機とを含み、前記送信機は、前記受信機に無線信号を発して、前記信号表示装置が作動した時に、使用者に可聴信号又は可視信号を形成することを特徴とする請求項１に記載の衣類。
【請求項９】
前記第一端子は、端子頂部と端子軸部とを含み、前記端子頂部は端子頂部幅を有し、前記端子軸部は端子軸部幅を有し、前記端子頂部幅は前記端子軸部幅より大きいことを特徴とする請求項１に記載の衣類。
【請求項１０】
前記端子頂部幅は、前記端子軸部幅の二倍より大きいことを特徴とする請求項９に記載の衣類。
【請求項１１】
前記第一及び第二導電性要素は、交差することなく前記腰部領域から前記股部領域に延びることを特徴とする請求項１に記載の衣類。
【請求項１２】
前記第一及び第二導電性要素は開放回路を形成し、身体流体が前記第一導電性要素と第二導電性要素との間に存在する場合に、前記身体流体が前記回路を閉じて、前記信号表示装置を作動させることを特徴とする請求項１に記載の衣類。
【請求項１３】
前記シャーシは、前記信号表示装置を収めるようになった信号表示装置受け部を含み、前記受け部は、弾性化された開口縁部を有するポケットを形成することを特徴とする請求項１に記載の衣類。
【請求項１４】
前記シャーシは、前記信号表示装置を収めるようになった信号表示装置受け部を含み、前記受け部は、開口縁部幅を有する開口縁部と、前記開口縁部に平行な最大幅とを有するポケットを形成し、前記開口縁部幅は、前記最大幅より小さいことを特徴とする請求項１に記載の衣類。
【請求項１５】
前記開口縁部幅は、最大幅の９０パーセントより小さいことを特徴とする請求項１４に記載の衣類。
【請求項１６】
前記シャーシは、前記信号表示装置を収めるようになった信号表示装置受け部を含み、前記受け部は、第一材料と、前記第一材料に接合された第二材料とを含み、前記第一導電性要素は、前記第一材料と接続し、前記第二導電性要素は前記第二材料と接続することを特徴とする請求項１に記載の衣類。
【請求項１７】
前記外カバーは、多層を含むことを特徴とする請求項１に記載の衣類。
【請求項１８】
前記第一端子は面積を有し、前記第二端子は面積を有し、前記オリフィスは、前記第一端子面積と前記第二端子面積との組み合わせより大きいオリフィス面積を有することを特徴とする請求項１に記載の衣類。
【請求項１９】
内側表面と外側表面とを有する外カバーを備えるとともに、前領域と後領域との間に位置する股部領域を含み、前記前領域と前記後領域が、合わさって腰部領域を形成するシャーシと、
前記シャーシ内に収められ少なくとも前記腰部領域に位置して、回路の一部を形成する第一及び第二導電性要素と、
少なくとも１つの第一端子及び少なくとも１つの第二端子を含み、該第一端子及び第二端子が前記第一導電性要素と第二導電性要素に作動的に接続するようにされた信号表示装置と、
から成り、
前記第一端子は、端子頂部幅を有する端子頂部と、端子軸部幅を有する端子軸部とを含み、前記端子頂部幅は、前記端子軸部幅より大きいことを特徴とする衣類。
【請求項２０】
前記端子頂部は、取り付け及び取り外しに際して前記信号表示装置の本体から離れる方向に移動させるようにされ、使用のために前記信号表示装置の前記本体に向かって移動させられることを特徴とする請求項１９に記載の衣類。
【発明の詳細な説明】
【技術分野】
【０００１】
オムツ、訓練用パンツ、失禁用製品、女性用衛生製品、水着用下着、及び同様のものなどの吸収性物品は、通常は、液体透過性身体側ライナー、液体不透過性外カバー、及び吸収性芯を含む。吸収性芯は、典型的には、使用者から排出された液体（例えば尿）を取り入れて保持するために、外カバーとライナーとの間に位置する。
【０００２】
吸収性芯は、例えば、超吸収性粒状物で形成することができる。多くの吸収性粒状物、特に超吸収性粒状物は、効率的に液体を吸収するので、身体流体が吸収性物品に放出されたかどうかを知らせることが困難な場合がある。
【０００３】
したがって、様々な型の湿分又は湿潤性指示器が、吸収性物品に使用するために提案されてきた。湿潤性指示器は、放出された時に、親又は介護人が、湿潤したオムツ状態を認識することを助けるように設計された警報装置を含むことができる。該装置は、可視信号又は可聴信号のいずれかを発する。
【０００４】
幾つかの実施形態においては、例えば、安価な導電性糸又は箔が、吸収性物品内に配置されてきた。導電性材料は、信号表示装置のための導電性リードとして機能し、尿などの身体流体が回路を閉じる時に、閉じることができる開放回路を物品内に形成する。これらの実施形態においては、吸収性物品は使い棄てとすることができるが、信号表示装置は使い棄てではない。このように、信号表示装置は、物品から取り外し、次の物品に再取り付けするように意図されている。
【０００５】
しかしながら、導電性リードに信号表示装置を確実に取り付けることが可能で、かつ吸収性物品の費用をそれほど増加させないような、信号表示装置のための取り付け機構を設計する、という問題に遭遇している。更に、高速での製造工程中に、吸収性物品に組み込むことができる取り付け機構の設計という問題が経験されている。
【０００６】
【特許文献１】米国特許第４，７９８，６０３号公報
【特許文献２】米国特許第５，１７６，６７２号公報
【特許文献３】米国特許第５，５０９，９１５号公報
【特許文献４】米国特許第５，９９３，４３３号公報
【特許文献５】米国特許第６，２４８，０９７号公報
【特許文献６】ＰＣＴ特許出願ＷＯ００／３７００９
【特許文献７】米国特許第４，９４０，４６４号公報
【特許文献８】米国特許第５，７６６，３８９号公報
【特許文献９】米国特許第６，６４５，１９０号公報
【特許文献１０】米国特許第４，７０４，１１６号公報
【特許文献１１】米国特許第５，４８６，１６６号公報
【特許文献１２】米国特許第５，４９０，８４６号公報
【特許文献１３】米国特許第５，８２０，９７３号公報
【特許文献１４】米国特許第６，４１７，４５５号公報
【特許文献１５】米国特許第４，１００，３２４号公報
【特許文献１６】米国特許第５，２８４，７０３号公報
【特許文献１７】米国特許第５，３５０，６２４号公報
【発明の開示】
【発明が解決しようとする課題】
【０００７】
一般的には、本開示は、使いやすい信号表示装置を備えた衣類に向けられる。例えば、信号表示装置は、身体流体が吸収性物品内に存在することを、使用者に指示するように形成することができる。例えば、一実施形態においては、衣類は、内側表面と外側表面とを有する外カバーを含むシャーシを含む。シャーシは、前領域と後領域との間に位置する股部領域を含む。前領域と後領域は、合わさって腰部領域を定める。衣類は、シャーシに収められる第一及び第二導電性要素を含む。導電性要素は、少なくとも腰部領域内に配置される。第一及び第二導電性要素は、回路の部分を形成する。衣類は又、少なくとも１つの第一端子及び少なくとも１つの第二端子を含む信号表示装置を含む。第一及び第二端子は、第一及び第二導電性要素に作動的に接続するようにされる。更に第一及び第二端子は、外カバー内の少なくとも１つのオリフィスを通して、第一及び第二導電性要素と作動的に接続する。
【０００８】
別の実施形態においては、衣類は、内側表面と外側表面とを有する外カバーを含むシャーシを含む。シャーシは、前領域と後領域との間に位置する股部領域を含む。前領域と後領域は、合わさって腰部領域を定める。衣類は、シャーシに収められる第一及び第二導電性要素を含む。導電性要素は、少なくとも腰部領域内に配置される。第一及び第二導電性要素は、回路の部分を形成する。衣類は、少なくとも１つの第一端子と少なくとも１つの第二端子とを含む信号表示装置を含む。第一及び第二端子は、第一及び第二導電性要素に作動的に接続するようにされる。更に、第一及び第二端子は、外カバー内の少なくとも１つのオリフィスを通して、第一及び第二導電性要素に作動的に接続する。更に、第一端子は、端子頂部及び端子軸部から成る。端子頂部は、端子頂部幅を有する。端子軸部は、端子軸部幅を有する。端子頂部幅は、端子軸部幅より大きいものとする。
【０００９】
本発明の前述した及び他の特性及び態様、及びそれらを得る方法、並びに本発明自体は、以下の説明、添付した特許請求の範囲及び添付図面を参照することにより、一層明らかとなり、より理解されるであろう。
【００１０】
本明細書及び図面の繰り返し使用されている参照番号は、本発明における同一の又は類似した特性又は要素を表わすものである。
【発明を実施するための最良の形態】
【００１１】
この開示は、例示的実施形態のみの説明であり、本発明の広い態様を制限するものではないことを、当業者は理解すべきである。
【００１２】
本開示は、一般的には、吸収性物品内の身体流体の存在、又は製品又は着用者の状態における他の変化を示すことができるように形成された信号表示装置に取り付けられるようにされる吸収性物品に向けられる。吸収性物品は、例えば、オムツ、訓練用パンツ、失禁用製品、女性用衛生製品、医療用衣類、包帯、及び同様のものとすることができる。吸収性物品は、身体流体などの導電性流体が１対の導電性リードの間に存在する場合に閉じられる、開放回路を含むことができる。代替的には、吸収性物品は、身体流体などの流体が存在する場合に開かれる、閉回路を含むことができる。一般的には、回路を収容する吸収性物品は、再使用のために洗濯又は貯蔵されるのではなく、制限された使用の後廃棄されるという意味の使い棄てである。
【００１３】
本開示の吸収性物品内に収容される回路は、信号表示装置に取り付けられるように形成される。信号表示装置は、回路に電力を供給することができ、更に、使用者に身体流体の存在を示す、幾つかの型の可聴信号、可視信号及び／又は電磁信号を含むことができる。吸収性物品自体は使い棄てであるが、信号表示装置は、物品から物品へと再使用することができる。これに関して、本開示は特に、吸収性物品内の回路と信号表示装置との間を容易に接続することが可能な、異なる型の取り付け機構に向けられる。
【００１４】
上記したように、信号表示装置と組み合わせた回路は、吸収性物品内に収容される身体流体の存在を示すように形成することができる。特に目標とされる身体流体は、特定の型の吸収性物品及び望まれる用途に応じて異なるものとすることができる。例えば、一実施形態においては、吸収性物品は、オムツ、訓練用パンツ、又は同様のものを含み、信号表示装置は、尿の存在を示すように形成される。代替的には、信号表示装置は、オムツかぶれの存在を示す代謝産物の存在を示すように形成することができる。一方、大人用失禁用製品及び女性用衛生製品の場合には、信号表示装置は、尿又は月経内における多糖類などの酵母菌又は特定の成分の存在を示すように形成することができる。
【００１５】
図１及び２を参照すると、例示的目的で吸収性物品２０が示されている。吸収性物品２０は、使い棄てとすることができ、又は使い棄てではないものとすることこともできる。本発明は、本発明の範囲から外れることなく、これらに限定するものではないが、オムツ、訓練用パンツ、水泳用パンツ、女性用衛生製品、失禁用製品、医療用衣類、外科用パッド及び包帯、他の個人ケアー用又は健康ケアー用衣類、及び同様のものを含む、個人で着用することを意図する様々な他の吸収性物品で使用するのに適していることが理解される。
【００１６】
説明のためだけに挙げると、本発明の様々な態様のオムツ２０などの、吸収性物品を形成するための様々な材料及び方法が、１９８９年１月１７日付けのＭｅｙｅｒ他の米国特許第４，７９８，６０３号、１９９３年１月５日付けのＢｒｕｅｍｍｅｒ他の米国特許第５，１７６，６７２号、１９９６年４月２３日付けのＨａｎｓｏｎ他の米国特許第５，５０９，９１５号、１９９９年１１月３０日付けのＳｔ．Ｌｏｕｉｓ他の米国特許第５，９９３，４３３号、２００１年６月１９日付けのＢｅｉｔｚ他の米国特許第６，２４８，０９７号、２０００年６月２９日付けのＡ．Ｆｌｅｔｃｈｅｒ他のＰＣＴ特許出願ＷＯ００／３７００９、１９９０年７月１０日付けのＶａｎ  Ｇｏｍｐｅｌ他の米国特許第４，９４０，４６４号、１９９８年６月１６日付けのＢｒａｎｄｏｎ他の米国特許題５，７６６，３８９号、２００３年１１月１１日付けのＯｌｓｏｎ他の米国特許題６，６４５，１９０号に記載されており、一貫性のある範囲で（すなわち矛盾することのない範囲で）引用によりここに組み入れられる。
【００１７】
オムツ２０が、部分的に締結された状態で、図１に代表的に示されている。図１及び２に示されたオムツ２０は、開いて折り畳まれない状態で図３及び４に示されている。具体的に述べると、図３は、オムツ２０の外側を示す平面図であり、図４は、オムツ２０の内側を示している。図３及び４に示されているように、オムツ２０は、着用された時に、物品の前部から物品の後部に延びる縦方向４８を定める。縦方向４８に対向するのが、横方向４９である。
【００１８】
オムツ２０は、ここでは前領域２２及び後領域２４と示されている１対の縦方向端部領域、及び前領域２２と後領域２４との間を縦方向に延び、かつ相互結合されていて、ここでは股部領域２６と示されている中央領域を定める。オムツ２０は、使用中に、着用者に向いて配置されるようにする内側表面２８と、該内側表面の反対側の外側表面３０を定める（例えば、物品２０とは別の部品に対して位置決めされる）。前領域２２及び後領域２４は、着用された時、着用者の腰部又は低胴部を全体的に又は部分的に覆うか或いは囲むオムツ２０の部分である。股部領域２６は、一般的には、着用された時、着用者の脚部の間に位置するオムツ２０の部分であり、着用者の低胴部及び股部を覆う。吸収性物品２０は、１対の横方向両側の側部縁３６と１対の縦方向両側の腰部縁とを有し、それぞれが前腰部縁３８及び後腰部縁３９で示される。
【００１９】
示されたオムツ２０は、この実施形態においては、前領域２２、後領域２４及び股部領域２６を囲むシャーシ３２を含む。図１−４を参照すると、シャーシ３２は、外カバー４０、及び接着剤、超音波接着、熱接着、又は他の従来の技術によって、重なる関係で外カバー４０に接合することができる身体側ライナー４２（図１及び４）を含む。図４を参照すると、ライナー４２は、適当なものとしてはシャーシ３２の周辺に沿って外カバー４０と接合して、前腰部シーム６２及び後腰部シーム６４を形成することができる。図４に示されているように、ライナー４２は、適当なものとしては、外カバー４０に接合して、前領域２２及び後領域２４に１対の側部シーム６１を形成することができる。ライナー４２は全体的に、吸収性物品の着用中に、物品２０の他の部品に対して、着用者の皮膚に向くように配置されるようにさせる、すなわち位置決めすることができる。シャーシ３２は、特定的に図４に示されているように、着用者により排出された液体身体排出物を吸収するために、外カバー４０と身体側ライナー４２との間に配置された吸収性構造４４を更に含み、かつ身体排出物の横方向流出を妨げるために、身体側ライナー４２に取り付けられた１対の収容フラップ４６を含むことができる。
【００２０】
図４に示された弾性収容フラップ４６は、オムツ２０の少なくとも股部領域２６において、直立した形態を呈する、部分的に取り付けられていない縁部を定め、着用者の身体に対してシールを形成する。収容フラップ４６は、シャーシ３２の長さ全体にわたって縦方向に延びることができるか、又はシャーシの長さに沿って部分的にのみ延びることができる。収容フラップ４６に対する適当な形態及び配列は、全体的に当業者によく知られており、１９８７年１１月３日付けのＥｎｌｏｅの米国特許第４，７０４，１１６号に記載されており、引用によりここに組み入れられる。更に身体排出物の収容及び／又は吸収を促進するために、オムツ２０は、適当なものとしては、当業者に知られているように、脚部弾性部材５８（図４）を含むことができる。脚部弾性部材５８は、外カバー４０及び／又は身体側ライナー４２に作動的に接合することができ、吸収性物品２０の股部領域２６内に位置決めされる。
【００２１】
脚部弾性部材５８は、あらゆる適当な弾性部材で形成することができる。当業者によく知られているように、適当な弾性材料は、天然ゴムのシート、ストランド又はリボン、合成ゴム、又は熱可塑性エラストマー性ポリマーを含む。弾性材料は、延伸されて基体に粘着されるか、ギャザー寄せされた基体に粘着されるか、又は基体に粘着した後、例えば熱の付与などで弾性化又は収縮されて、弾性収縮力を基体に与えることができる。例えば、１つの特定の態様においては、脚部弾性部材５８は、米国デラウエア州ウイルミントンのＩｎｖｉｓｔａから入手可能なＬＹＣＲＡという商標名で販売されている、複数のドライスピニング法により得られた、撚り合わされたマルチフィラメントスパンデックスエラストマー性糸を含むことができる。
【００２２】
幾つかの実施形態においては、吸収性物品２０は、サージ処理層（図示されず）を含むことができ、任意ではあるが、吸収性構造体４４の近傍に位置し、接着剤を使用するなどの当業者に知られている方法によって、吸収性構造体４４又は身体側ライナー４２などの物品２０の様々な部品に取り付けることができる。サージ処理層は、液体のサージ又は放出を減速及び放散させて、物品の吸収性構造内に急速に導くことができる。サージ処理層は、液体を急速に受け入れて、該液体を吸収性構造体の貯蔵部分又は保持部分に放出する前に、一時的に保持することができることが望ましい。適当なサージ処理層の例は、米国特許第５，４８６，１６６号、及び第５，４９０，８４６号に記載されている。他の適当なサージ処理材料は、米国特許第５，８２０，９７３号に記載されている。これらの特許の開示全体は、一貫性のある範囲で（矛盾することのない範囲で）引用によりここに組み入れられる。
【００２３】
図１−４に示されているように、吸収性物品２０は、１対の両側の弾性側部パネル３４を含み、シャーシ３２の後領域に取り付けられる。特に図１及び２に示されているように、側部パネル３４は、衣類を所定の位置に固定するために、着用者の腰部及び／又は臀部周囲に延伸することができる。図３及び４に示されているように、弾性側部パネルは、１対の両側の縦方向縁部３７に沿って、シャーシに取り付けられる。側部パネル３４は、あらゆる適当な接着技術を使用して、シャーシ３２に取り付け又は接着することができる。例えば、側部パネル３４は、接着剤、超音波接着、熱接着、又は他の従来の技術によって、シャーシに接合することができる。
【００２４】
代替的実施形態においては、弾性側部パネルは、シャーシ３２と一体に形成することができる。例えば、側部パネル３４は、身体側ライナー４２の延長部、外カバー４０の延長部、又は身体側ライナー４２と外カバー４０両方の延長部を含むことができる。
【００２５】
図面に示した実施形態においては、側部パネル３４は、吸収性物品２０の後領域に結合され、使用者の所定の位置に物品が固定された状態では、物品の前領域を越えて延びる。しかしながら、側部パネル３４は、代替的には、物品２０の前領域に結合されて、物品が着用された時、後領域を越えて延びることを理解するべきである。
【００２６】
図１及び２に部分的に示されているような締結状態の吸収性物品２０では、弾性側部パネル３４は、締結システム８０によって結合することができ、腰部開口５０及び１対の脚部開口５２を有する３次元オムツ形態を定める。物品２０の腰部開口５０は、着用者の腰部を囲む腰部縁３８及び３９により定められる。
【００２７】
図面に示された実施形態においては、側部パネルは、締結システムにより、物品２０の前領域２２に取り外し可能に取り付けられる。しかしながら、他の実施形態においては、側部パネルは、各々の端部でシャーシ３２に永久的に接合することができることを理解するべきである。側部パネルは、例えば、訓練用パンツ又は吸収性水着を形成する場合には、互いに永久的に接着することができる。
【００２８】
弾性側部パネル３４の各々は、縦方向外側縁６８、オムツ２０の縦方向中央に向かって位置する脚部端部縁７０、及び吸収性物品の縦方向端部に向かって位置する腰部端部縁７２を有する。吸収性物品２０の脚部端部縁７０は、適当なものとしては、横方向４９に対して湾曲及び／又は傾斜をもつものとすることができ、着用者の脚部周囲に、良好な適合状態を形成する。しかしながら、本発明の範囲から外れることなく、脚部端部縁７０の１つだけが、後領域２４の脚部端部縁のように湾曲又は傾斜することができるか、又は代替的にはどの脚部端部縁も湾曲又は傾斜しないようにできることが理解される。図４に示されるように、外側縁６８は、縦方向４８にほぼ平行であるが、腰部端部縁７２は、横方向軸４９にほぼ平行である。しかしながら他の実施形態においては、外側縁６８及び／又は腰部縁７２は、望まれるように傾斜又は湾曲することができることを理解するべきである。最終的には、側部パネル３４は、シャーシの腰部領域９０にほぼ整列する。
【００２９】
締結システム８０は、第二締結部品８４に対応する再締結可能な係合に適した、横方向両側の第一締結部品８２を含むことができる。図面に示された実施形態においては、第一締結部品８２は、弾性側部パネル３４上に位置するが、第二締結部品８４は、シャーシ３２の前領域２２上に位置する。一態様においては、締結部品８２、８４の各々の前又は外側表面は、複数の係合要素を含む。第一締結部品８２の係合要素は、３次元形態で取り外し可能に物品２０を固定するために、第二締結部品８４の対応する係合要素を繰り返して係合及び取り外しさせる。
【００３０】
締結部品８２、８４は、接着剤締結具、粘着材締結具、機械締結具、又は同様のものなどの、吸収性物品に対して適当なあらゆる再締結可能な締結具とすることができる。特定の態様においては、締結部品は、性能を改善するための機械的締結要素を含む。適当な機械的締結要素は、フック、ループ、バルブ、マッシュルーム型、矢じり型、ステム上のボール、雄・雌結合部品、バックル、スナップ、又は同様のものなどの、相互係合する幾何学的形状の材料により形成することができる。
【００３１】
示された態様においては、第一締結部品８２はフック締結具を含み、第二締結部品８４は相補的ループ締結具を含む。代替的には、第一締結部品８２はループ締結具を含むことができ、第二締結部品８４は相補的フック締結具とすることができる。別の態様においては、締結部品８２、８４は、同様の表面締結具、又は接着剤締結具及び接着剤受容可能なランディング領域又は材料、又は同様のものなどの、接着剤及び粘着剤締結要素と相互係合することができる。フック・ループ型の形状、密度及びポリマー組成物は、締結部品８２、８４間に望ましいレベルの係合を得られるように選択することができることを当業者は理解するものである。適当な締結システムは、前に組み込まれた２０００年６月２９日付けのＰＣＴ特許出願ＷＯ００／３７００９及び前に組み込まれた２００３年１１月１１日付けのＯｌｓｏｎ他の米国特許第６，６４５，１９０号に記載されている。
【００３２】
図面に示された実施形態においては、締結部品８２は、縁部６８に沿って、側部パネル３４に取り付けられる。この実施形態においては、締結部品８２は、弾性でもなく、延伸可能でもない。しかしながら他の実施形態においては、締結部品は、側部パネル３４と一体とすることができる。例えば、締結部品は、その表面上の側部パネル３４に直接取り付けることができる。
【００３３】
弾性側部パネルを有する可能性に加えて、吸収性物品２０は、腰部開口周囲に弾性を付与するための様々な腰部弾性部材を含むことができる。例えば、図面に示しているように、吸収性物品２０は、前腰部弾性部材５４及び／又は後腰部弾性部材５６を含むことができる。
【００３４】
上記したように、本開示は、湿潤指示システムなどの身体流体指示システムを吸収性物品２０内に組み込むことに特に向けられる。これに関して、図１−４に示されるように、吸収性物品２０は、第二導電性要素１０２から間隔を持った位置に第一導電性要素１００を含む。この実施形態においては、導電性要素は、交差せずに吸収性物品の前領域２２から後ろ領域２４まで延びる。導電性要素１００及び１０２は、例えば、Ｅｌｅｃｔｒｏｓｃｉｅｎｃｅ  Ｌａｂｏｒａｔｏｒｉｅｓ，Ｉｎｃ．からの１１２−Ｓ銀製金属導電性ペースト（インク）及び２００２年７月９日付けのＺｅｉｎ他の米国特許第６，４１７，４５５号に記載された導電性ホイルを含む、導電性糸及び導電性箔などの、あらゆる適当な導電性材料を含むことができる。第一導電性要素１００は、例えば、導電性流体が導電性要素の間に位置する場合に、閉じることができる開放回路を形成するために、第二導電性要素１０２と交差することはできない。しかしながら他の実施形態においては、第一導電性要素１００及び第二導電性要素１０２は、シャーシ内のセンサーと接続することができる。センサーは、温度変化を感じることができるか、又は代謝産物などの特定の物質の存在を感じるように使用することができる。
【００３５】
図１に示された実施形態においては、導電性要素１００及び１０２は、吸収性物品２０の長さ全体に延びる。しかしながら、他の実施形態においては、導電性要素は、股部領域２６だけに延びることもでき、或いは身体流体を感知させようとする吸収性物品内のあらゆる特定の位置まで延びることができることを理解するべきである。
【００３６】
導電性要素１００及び１０２は、導電性要素が、吸収性物品２０により吸収される身体流体と接触するように位置される限り、あらゆる適当な位置でシャーシ３２に組み込むことができる。これに関して、導電性要素１００及び１０２は、一般的には、外カバー４０の内側に存在する。事実、一実施形態においては、導電性要素１００及び１０２は、吸収性構造体４４に面する外カバー４０の内側表面に取り付けるか又は積層することができる。しかしながら、代替的には、導電性要素１００及び１０２は、吸収性構造体４４上に位置決めするか、又はライナー４２上に位置決めすることができる。
【００３７】
導電性要素１００及び１０２は、直接的接触又は間接的接触のいずれかで、直接信号表示装置に接続することができる。第一導電性要素１００は、第一導電性パッド部材１０４に取り付けることができるが、第二導電性要素１０２は、第二導電性パッド部材１０６に接続することができる。パッド部材１０４及び１０６は、導電性要素により形成される開放回路を、消費者又は製造者によりシャーシ上に取り付けるように意図される信号表示装置に確実に接続するために形成することができる。パッド部材１０４及び１０６は、信号表示装置及び導電性リード又は要素を取り付けるために、目標領域を形成することができる。
【００３８】
導電性パッド部材１０４及び１０６は、導電性要素１００及び１０２に対して、比較的大きい表面積を有するものとすることができる。例えば、導電性パッド部材１０４及び１０６は、少なくとも１ｃｍ2、少なくとも２ｃｍ2、更に一実施形態においては、少なくとも３ｃｍ2の表面積を有するようにすることができる。例えば、一実施形態においては、各々のパッド部材の表面積は、約２ｃｍ2から約４ｃｍ2とすることができる。
【００３９】
吸収性物品２０上の導電性パッド部材１０４及び１０６の位置は、信号表示装置をどこに取り付けたいかに応じて変化することができる。例えば、図１、３及び４においては、導電性パッド部材１０４及び１０６は、物品の腰部開口に沿った前領域２２に位置決めされる。一方図２においては、導電性部材１０４及び１０６は、物品の腰部開口に沿った後領域２４に位置決めされる。しかしながら他の実施形態においては、吸収性物品２０は、各々の導電性要素１００及び１０２の各々の端部に位置決めされる導電性パッド部材を含むことができることを認識するべきである。更に他の実施形態においては、パッド部材は、物品の側部に沿って、又は物品の股部領域に向かって配置することができる。
【００４０】
シャーシ３２の多層内の導電性パッド部材１０４及び１０６の位置は、信号表示装置を接続しようとする場所、及び信号表示装置と接続させるために使用される取り付け機構の型に応じて変化することができる。上記したように、パッド部材１０４及び１０６は、導電性要素１００及び１０２と電気接続される。したがって、一実施形態においては、パッド部材１０４及び１０６は、外カバー４０の少なくとも１つの層で、下側（身体側の方に）に位置決めされる。材料の少なくとも１つの層の下側にパッド部材１０４及び１０６を位置決めすることは、幾つかの実施形態において様々な利点を提供することができる。例えば、シャーシ３２内の材料の少なくとも１つの層で、下側にパッド部材１０４及び１０６に配置すると、移送及び貯蔵中にパッド部材を保護し、更に特にパッド部材が互いに近接して配置される場合に、使用中に短い回路を形成することから保護する。材料の少なくとも１つの層の下にパッド部材を配置することの別の利点は、高速機械速度で吸収性物品２０を製造しやすくする可能性があることである。
【００４１】
しかしながら他の実施形態においては、導電性パッド部材１０４及び１０６は、シャーシ３２の外側表面で位置決めすることができることを理解するべきである。例えば、パッド部材１０４及び１０６は、外側表面上又は内側表面上の望まれる部分に位置決めすることができる。
【００４２】
例示的目的のために図５を参照すると、導電性パッド部材１０４及び１０６に取り付けられた信号表示装置１１０（参照番号１１２及び１１４で示されている）が示されている。示されているようにこの実施形態においては、信号表示装置全体１１０は、一般的には送信機１１２及び受信機１１４を含む。送信機１１２は、１対の両側の端子を含み、対応する導電性要素に電気接続される。身体流体が吸収性物品２０に存在する場合は、導電性要素１００及び１０２により形成された開放回路が閉じられ、反対に信号表示装置１１０が作動する。特にこの実施形態においては、送信機１１２は、受信機１１４に無線信号を送り、使用者に、身体流体が吸収性物品に存在することを示す。
【００４３】
信号表示装置１１０は、回路が閉じられたことを使用者に示すために、可聴信号又は可視信号を発することができる。例えば、可聴信号は、おそらく音曲を発するだけの１又はそれ以上の発信音のような単一のものとすることができる。同様に、信号表示装置１１０が可視信号である場合は、可視信号は、幾つかの光又は相互作用による表示を含むことができる。更に別の実施形態においては、信号表示装置１１０の受信機１１４は、吸収性物品内の回路が閉じられた時、振動するように形成することができる。
【００４４】
導電性パッド部材又は導電性要素と、信号表示装置及び各々の実施形態に対するパッド部材の特定の構造体との間の取り付け機構が、図７−１３に関して詳細に述べられる。信号表示装置１１０は、多くの異なる方法でシャーシ３２に接続することができる。吸収性物品２０は、信号表示装置１１０を吸収性シャーシ３２に接続するようにさせる信号表示装置受け部１４０を含むことができる。信号表示装置１１０は、接着剤、粘着剤、磁石、フック・ループ型、クリップ、又はスナップを利用して、シャーシに接続することができる。代替的には、信号表示装置１１０は、該信号表示装置を所定の位置に維持する信号表示装置周囲を囲むポケット又は利用する弾性部分に、信号表示装置１１０の全体又は部分を捕捉することにより、シャーシ１４０に接続することができる。
【００４５】
信号表示装置１１０は、外カバー４０内のオリフィス１２２を通して、物品２０に接続するように構成することができる。信号表示装置１１０、シャーシ３２、及び受け部１４０（利用する場合は）の設計は、第一及び第二端子１１６、１１８が、１、２、又はそれ以上のオリフィス１２２を通して、第一及び第二導電性要素１００、１０２に作動的に接続するように設計することができる。信号表示装置１１０とシャーシ３２との間のこの両立性は、端子１１６、１１８と導電性要素１００、１０２との間の簡単で、あまり複雑ではなく、高い質を有する接続を可能とさせる。この特性は、高い嵩を有するか又はかなり布様のものとすることができる外カバー４０を利用する場合に、非常に有効とすることができる。
【００４６】
図７に示されているように、第一導電性要素１００は受け部１４０の左部分に位置し、第二導電性要素１０２は受け部１４０の右部分に位置する。更に図７に示されているように、信号表示装置１１０は、第一端子１１６及び第二端子１１８を含む。
【００４７】
信号表示装置１１０の第一端子１１６は、外カバー４０内の少なくとも１つのオリフィス１２２を通して、第一又は第二導電性要素１００、１０２に接続する。更に、第二端子１１８は、外カバー４０内の少なくとも１つのオリフィス１２２を通して、第一又は第二導電性要素１００、１０２に接続する。図７に示されているように、第一及び第二端子１１６、１１８は、外側の単一オリフィス１２２を通して、第一及び第二導電性要素１００、１０２に接続することができる。代替的には、図８に示されているように、第一端子１１６は、第一オリフィス１２２’を通して、第一又は第二導電性要素１００、１０２に接続することができ、第二端子１１８は、第二オリフィス１２２”を通して、第一又は第二導電性要素１００、１０２に接続することができる。
【００４８】
オリフィス１２２は、該オリフィス１２２を完全に囲むオリフィス周辺部１２４により定めることができる。オリフィス周辺部１２４は、オリフィス面積を定めることができ、オリフィス周辺部１２４により囲まれた外カバー４０の平面上の開口面積である。オリフィス面積は、シャーシ３２及び信号表示装置１１０の特定の設計に応じて、あらゆる大きさとすることができる。オリフィス面積は、第一又は第二端子１１６、１１８の面積より、小さいか、大きいか、又は同じ大きさとすることができる。オリフィス面積は、第一及び第二端子１１６、１１８の面積の組み合わせより大きいものとすることができる。更に、オリフィス面積は、信号表示装置１１０の面積より大きいか又は同じ大きさとすることができる。
【００４９】
オリフィス１２２、１２２’、１２２”は、シャーシ３２及び信号表示装置１１０の特定の設計に応じて、あらゆる形状を有することができる。図７に示されたように、オリフィス１２２は、長方形の形状を有することができる。図９に示されているように、オリフィス１２２’、１２２”は、円形の形状とすることができる。
【００５０】
オリフィス周辺部１２４は、図７Ａに示されているように、外カバー４０の縁部により形成することができる。代替的には、図１０に示されているように、オリフィス周辺部１２４は、例えば、管形成を外カバー４０の縁部に付加した第二材料により形成することができる。オリフィス周辺部１２４は、折り畳まれるか又は巻き返された外カバー４０の一部により形成することができる。
【００５１】
オリフィス周辺部１２４は、シャーシ３２を信号表示装置１１０に接続するようにさせた取り付け機構を含むことができる。これらの取り付け機構は、接着剤締結具、粘着材締結具、機械的締結具、又は同様のものを含むことができる。締結用部品は、フック、ループ、バルブ、マッシュルーム型、矢じり型、ステム上のボール、雄・雌嵌合部品、バックル、スナップ、又は同様のものを含む、機械的締結要素を含むことができる。
【００５２】
オリフィス周辺部１２４は、延伸可能とすることができる。代替的には、オリフィス周辺部１２４は、弾性的に延伸可能とすることができる。オリフィス周辺部１２４の延伸性は、外カバー４０の延伸性から形成することができる。代替的には、オリフィス周辺部１２４の延伸性は、外カバー４０の縁部に付加した第二材料、例えば弾性管形成材料から形成することができる。
【００５３】
図１１及び１２は、衣類及び信号表示装置１１０の側面図である。示しているように、信号表示装置は、端子頂部１２６及び端子軸部１２８を含む端子１１６を含んでいる。端子軸部１２８は、信号表示装置１１０の本体から外側に延びる。端子頂部１２６は、端子軸部１２８の末端に、信号表示装置１１０の本体から離れている位置する。端子頂部１２６は、端子頂部幅１３０を有する。端子軸部１２８は、端子軸部幅１３２を有する。端子頂部幅１３０は、端子軸部幅１３２より大きいものとすることができる。端子頂部幅１３０は、端子軸部幅１３２の３倍より大きいものとすることができる。代替的には、端子頂部幅１３０は、端子軸部幅１３２の２倍より大きいものとすることができるか、又は端子軸部幅１３２の１．２５倍より大きいものとすることができる。更に、オリフィス１２２は、端子軸部幅１３２と端子頂部幅１３０に平行に測定したオリフィス幅１３４を有する。オリフィス幅１３４は、端子頂部幅１３０より小さいものとすることができる。オリフィス幅１３４は、端子軸部幅１３２より大きいものとすることができるか、又は代替的には、端子軸部幅１３２と同じか、又はこれより小さいものとすることができる。
【００５４】
図１１及び１２に示されている形態は、衣類に、一層容易で、かつすばやい信号表示装置１１０の取り付けを提供することができる。更に、端子頂部１２６は、ボタンホールのボタンのように保持されるので、信号表示装置１１０を衣類に取り付けるために、何の付加的取り付け機構も必要ではない。端子軸部１２８は、ポール上部のボールのように、信号表示装置１１０に隆起させた状態で取り付けることができる。
【００５５】
端子軸部１２８は、端子頂部１２６が、取り付け及び取り外しのために信号表示装置１１０から離れて移動したり、使用中に信号表示装置１１０に向かって移動することができるように、信号表示装置１１０に取り付けることができる。端子軸部１２８及び端子頂部１２６は、隆起部を持った材料から形成することができる。代替的には、端子軸部１２８又は端子頂部１２６は、シャーシ３２及び信号表示装置１１０の特定の設計に応じて、しなやかな材料から形成することができる。
【００５６】
図１３は、開口縁部１６６を有するポケットを形成する信号表示装置受け部１４０を示している。信号表示装置は、開口縁部１６６を通って受け部１４０に入るようにすることができる。ポケットを形成する受け部１４０は、単一の材料片から形成され、折り畳まれてポケットを形成することができる。代替的には、ポケットを形成する受け部１４０は、２つ又はそれ以上の材料片から形成され、互いに接合されてポケットを形成することができる。受け部１４０の開口縁部１６６は、受け部１４０に信号表示装置１１０を維持することが可能なように弾性とすることができる。開口縁部１６６は、腰部弾性部材部品５４又は５６により弾性とすることができる。代替的には、開口縁部１６６は、ポケットを形成する材料の１つにより弾性とすることができる。開口縁部１６６は幅１６８を有し、ポケットは、開口縁部と平行に最大幅１７０を有することができる。延伸する前の開口縁部幅１６８は、最大幅１７０より小さいものとし、代替的には延伸前の開口縁部幅１６８は、最大幅１７０の９０％より小さい、又は７５％より小さいものとすることができる。この最大幅１７０は、特定の信号表示装置により求めることができ、信号表示装置より僅かに小さいか、又は僅かに大きいものとする。この特性は、使用中に、信号表示装置１１０をポケットに押し込むように機能することができ、これにより信号表示装置１１０が落ちて、作動しなくなる機会を減少させる。
【００５７】
図６を参照すると、本発明により形成された吸収性物品２０の更に別の実施形態が示されている。図６に示された実施形態においては、第一導電性要素１００及び第二導電性要素１０２に加えて、吸収性物品は、第三導電性要素１５０及び第四導電性要素１６０を含む。示されているように、第一導電性要素１００は、吸収性物品の長さ全体に延びる。しかしながら、第二導電性要素１０２は、主にシャーシの前領域内に位置する。第三導電性要素１５０は、前領域を通過して、主にシャーシの股部領域に位置する。
【００５８】
最後に、第四導電性要素１６０は、前領域及び股部領域を通って延び、主にシャーシの後領域に位置する。
【００５９】
導電性要素１００及び１０２と同様に、第三導電性要素１５０は、第三導電性パッド部材１５２と接続することができ、第四導電性要素１６０は、第四導電性パッド部材１６２と接続することができる。
【００６０】
図６に示された実施形態においては、付加的導電性要素は、身体流体の存在を示すだけでなく、身体流体の位置を示すために使用される。例えば、身体流体が前領域に位置する場合は、第一導電性要素１００と第二導電性要素１０２との間の回路が閉じられる。一方、身体流体が股部領域に収容されている場合は、第三導電性要素１５０と第一導電性要素１００との間に形成された回路が閉じられる。同様の形態において、身体流体が後領域に位置する場合は、第四導電性要素１６０と第一導電性要素１００との間の回路が閉じられる。
【００６１】
図６に示された実施形態は、４つの導電性パッド部材の各々に対して、４つの対応する端子を含む信号表示装置と組み合わせて配置されるように意図されている。信号表示装置は、身体流体が存在する時を示すだけでなく、回路が閉じられて身体流体の単に存在だけでなく、身体流体の位置を示すように形成することができる。
【００６２】
信号表示装置受け部１４０を囲む吸収性物品２０を形成するために使用される残りの材料は、特定の用途及び形成される特定の製品に応じて変えることができる。
【００６３】
例えば、外カバー４０は、通気性とすることができ、及び／又は液体不透過性とすることができる。外カバー４０は、単一層、多層、積層体、スパンボンド布、フィルム、メルトブローン布、弾性網目、マイクロポーラスウエブ、ボンデッドカーデッドウエブ、又はエラストマー性或いはポリマー性材料により形成された発泡体で構成することができる。例えば、外カバー４０は、液体不透過性材料の単一層とすることができるか、又は代替的には、少なくとも１つの層が液体不透過性である多層積層体構造とすることができる。しかしながら他の実施形態においては、外カバーは、液体透過性とすることができることを理解するべきである。この実施形態においては、例えば、吸収性物品は、内部液体バリア層を含むことができる。
【００６４】
例えば、外カバー４０は、液体透過性外側層及び液体不透過性内側層を含むことができ、適当なものとしては、互いが積層体接着剤、超音波接着、熱接着又は同様のものなどにより接合される。ビーズ、スプレー、平行渦巻き、又は同様のものとして、連続して又は断続的に付与することができる適当な積層体接着剤は、米国ウイスコンシン州ウオーワトサのＢｏｓｔｉｋ  Ｆｉｎｄｌｅｙ  Ａｄｈｅｓｉｖｅｓ，Ｉｎｃ．から、又は米国ニュージャージー州ブリッジウオーターのＮａｔｉｏｎａｌ  Ｓｔａｒｃｈ  ａｎｄ  Ｃｈｅｍｉｃａｌ  Ｃｏｍｐａｎｙから得ることができる。液体透過性外側層は、あらゆる適当な材料とすることができ、全体的に布のような手触りを与えるものが望ましい。このような材料の一例としては、２０ｇｓｍ（グラム／平方メートル）のスパンボンドポリプロピレン不織ウエブがある。外側層は、液体透過性身体側ライナー４２が形成されるような材料で形成することができる。
【００６５】
外カバー４０の内側層は、液体と蒸気の両方に不透過性であるか、又は液体不透過性でかつ蒸気透過性とすることができる。内側層は、薄い可塑性フィルムから形成することができるが、他の可撓性液体不透過性材料も使用することができる。内側層、又は単一層の場合の液体不透過性外カバー４０は、ベッド用シーツ及び布などの物品、並びに着用者及び介護人が、廃棄物質で湿潤しないようにさせる。液体不透過性内側層、又は単一層の液体不透過性外カバー４０として使用するために適当な液体不透過性フィルムは、米国イリノイ州シャウムバーグのＰｌｉａｎｔ  Ｃｏｒｐｏｒａｔｉｏｎから商業的に入手可能な０．０２ミリメートルのポリエチレンフィルムである。
【００６６】
身体側ライナー４２は、しなやかで、柔軟な感触、及び着用者の皮膚に刺激を与えないものが適当である。身体側ライナー４２は、その厚さを通って、液体身体排出物が吸収性構造体４４にまで容易に挿通することを可能とさせるのに、十分液体透過性である。適当な身体側ライナー４２は、多孔性発泡体、網目状発泡体、孔あき可塑性フィルム、織成ウエブ及び不織ウエブ、又はあらゆるこれらの材料の組み合わせなどのウエブ材料から広く選択して形成することができる。例えば、身体側ライナー４２は、メルトブローンウエブ、スパンボンドウエブ、又は天然繊維、合成繊維又はこれらの組み合わせから成るボンデッドカーデッドウエブを含むことができる。身体側ライナー４２は、実質的には疎水性材料で形成することができ、更に疎水性材料は、任意ではあるが、望ましい程度の湿潤性及び親水性を与えるために、表面活性剤で処理されるか、又はその他の方法で加工することができる。
【００６７】
吸収性構造体４４は、外カバー４０と身体側ライナー４２との間に位置することができる。吸収性構造体４４は、全体的に圧縮性、順応性があり、着用者の皮膚に刺激がなく、液体及びある種の身体排出物を吸収及び保持することが可能な、あらゆる構造又は成分の組み合わせとすることができる。例えば、吸収性構造体４４は、セルロース系繊維（例えば、木質パルプ繊維）の吸収性ウエブ材料、他の天然繊維、合成繊維、織成又は不織シート、粗く織ったネット又は他の安定構造体、超吸収性材料、結合材材料、表面活性剤、選択した疎水性材料、顔料、ローション、臭気調整剤又は同様のもの、並びにこれらの組み合わせを含むことができる。特定の態様においては、吸収性ウエブ材料は、セルロース系フラフのマトリックス及び超吸収性ヒドロゲル形成粒状物である。セルロース系フラフは、木質パルプフラフの混合物を含むことができる。フラフの１つの好ましい型は、米国サウスカロライナ州グリーンヴィルのＢｏｗａｔｅｒから入手可能な、登録商標ＣＲ１６５４と認識されており、これは主に南方軟材木質繊維を含む、漂白された、高度に吸収性のある硫酸塩木質パルプである。吸収性材料は、様々な従来の方法及び技術を使用して、ウエブ構造に形成することができる。例えば、吸収性ウエブは、乾燥時形成技術、空気形成技術、湿潤時形成技術、発泡体形成技術、又は同様のもの、並びにこれらの組み合わせで形成することができる。このような技術を実行するための方法及び装置は、当業者によく知られている。更に、吸収性構造体は、Ｚ方向に多層を含むことができる。このような多層は、低容量の吸収性材料層をライナー４２の近くに配置し、高容量の吸収性材料を外カバー層４０の近くに配置することにより、吸収容量の違いを利用することができる。同様に、吸収体単一層構造の個々の部分は、高容量の吸収体を含み、構造体の他の個々の部分は、低容量の吸収体を含むことができる。
【００６８】
一般的に、超吸収性材料は、ウエブの総重量に対して、約０から約９０重量パーセントの量で、吸収性ウエブ内に存在する。ウエブは、約０．１０から約０．６０グラム／立方センチメートルの範囲内の密度を有することができる。
【００６９】
超吸収性材料は、当業者によく知られており、天然、合成、及び変成天然ポリマー及び材料から選択することができる。超吸収性材料は、シリカゲルなどの無機材料、又は架橋結合したポリマーなどの有機化合物とすることができる。典型的には、超吸収性材料は、液体で、その重量の少なくとも約１０倍を吸収することが可能であり、望ましくは、液体でその重量の約２５倍より多くを吸収することが可能である。適当な超吸収性材料は、様々な供給者から容易に入手することができる。例えば、ＳＸＭ９３９４及びＦａｖｏｒ９５４３超吸収体は、ＤｅＧｕｓｓａ  Ｓｕｐｅｒａｂｓｏｒｂｅｒｓから入手可能である。
【００７０】
望ましい形状に形成した後又は切断した後、吸収性ウエブ材料は、吸収性構造体４４の一体性及び形状を維持することを介助する適当なティッシュ、又はメルトブローンウエブ又は同様のもの、ラップシートによりラップされるか又は囲むことができる。
【００７１】
吸収性ウエブ材料は、コフォーム材料とすることができる。「コフォーム材料」という用語は、一般的には、熱可塑性繊維及び第二非熱可塑性材料の混合物又は安定したマトリックスを含む複合材料を意味する。例えば、コフォーム材料は、少なくとも１つのメルトブローンダイヘッドが、シュートの近くに配列されて、形成中に、そこを通って他の材料がウエブに添加されるという方法によって形成することができる。このような他の材料は、これらに限定されるものではないが、木質パルプなどの繊維性有機材料、又は綿などの非木質パルプ、レーヨン、再生紙、パルプフラフ及び超吸収性粒状物、無機吸収性材料、処理済ポリマー性ステープル繊維及び同様のものを含むことができる。種々異なる合成ポリマーのいずれも、コフォーム材料の溶融紡糸された成分として利用することができる。例えば、ある態様においては、熱可塑性ポリマーを利用することができる。利用することができる適当な熱可塑材の幾つかの例としては、ポリエチレン、ポリプロピレン、ポリブチレン及び同様のものなどのポリオレフィン、ポリアミド、及びポリエステルを含む。一態様においては、熱可塑性ポリマーはポリプロピレンである。このようなコフォーム材料の幾つかの例としては、Ａｎｄｅｒｓｏｎ他の米国特許第４，１００，３２４号、Ｅｖｅｒｈａｒｔ他の米国特許第５，２８４，７０３号、及びＧｅｏｒｇｅｒ他の米国特許第５，３５０，６２４号に記載されており、一貫性がある範囲で（すなわち、矛盾することのない範囲で）引用によりここに組み入れられる。
【００７２】
本発明に対するこれらの及び他の修正及び変更は、本発明の思想及び範囲から外れることなく当業者により実施することができ、これは添付した特許請求の範囲に、より特定的に述べられる。更に、様々な実施形態の態様は、全体又は部分の両方において交換することができる。更に当業者は、前述した説明は例示的なものであり、添付した特許請求の範囲に更に述べられている本発明を制限するものではない。
【図面の簡単な説明】
【００７３】
【図１】吸収性物品の一実施形態の背面斜視図である。
【図２】図１に示された吸収性物品の正面斜視図である。
【図３】着用者に面していない物品の表面を、締結せず、折り畳まないで、平坦な状態で置いた図１に示された吸収性物品の平面図である。
【図４】着用した時に着用者に面する吸収性物品の表面を、下側にある特性を示すために部分的に切り取った状態で示した、図３と同様の平面図である。
【図５】信号表示装置の一実施形態を含む、図１に示した実施形態の斜視図である。
【図６】着用者に面していない物品の表面を、締結せず、折り畳まないで、平坦な状態で置いた物品を表わした、吸収性物品の別の実施形態の平面図である。
【図７】信号表示装置を吸収性物品に取り付けるための、取り付け機構の一実施形態の斜視図である。
【図７Ａ】図７の吸収性物品を７Ａ−７Ａの線に沿って見た断面図である。
【図８】信号表示装置を吸収性物品に取り付けるための、取り付け機構の別の実施形態の図である。
【図９】信号表示装置を吸収性物品に取り付けるための、取り付け機構の更に別の実施形態の図である。
【図１０】信号表示装置を吸収性物品に取り付けるための、取り付け機構の別の実施形態の断面図である。
【図１１】信号表示装置を吸収性物品に取り付けるための、取り付け機構の別の実施形態の断面図である。
【図１２】図１１に示された実施形態の拡大断面図である。
【図１３】信号表示装置を吸収性物品に取り付けるための、取り付け機構の別の実施形態の斜視図である。
【符号の説明】
【００７４】
２０  吸収性物品
２２  前領域
２４  後領域
２６  股部領域
３２  シャーシ
３４  側部パネル
４０  外カバー
４２  ライナー
４４  吸収性構造体
８０  締結システム
１００  導電性要素
１０４  パッド部材
１１０  信号表示装置
１１２  送信機
１１４  受信機
１２２  オリフィス
１２４  オリフィス周辺部
１２６  端子頂部
１２８  端子軸部
１４０  受け部
【図１】
2009519752.tif 000003
【図２】
2009519752.tif 000004
【図３】
2009519752.tif 000005
【図４】
2009519752.tif 000006
【図５】
2009519752.tif 000007
【図６】
2009519752.tif 000008
【図７】
2009519752.tif 000009
【図７Ａ】
2009519752.tif 000010
【図８】
2009519752.tif 000011
【図９】
2009519752.tif 000012
【図１０】
2009519752.tif 000013
【図１１】
2009519752.tif 000014
【図１２】
2009519752.tif 000015
【図１３】
2009519752.tif 000016
【国際調査報告】
2009519752.tif 000017
2009519752.tif 000018
2009519752.tif 000019